【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
複数のレイヤを備える符号化ビデオビットストリームを生成するステップであって、レイヤは複数のピクチャを含む、ステップと、
サブビットストリーム抽出プロセスに基づいて、前記符号化ビデオビットストリームの第1のサブビットストリームを生成するステップであって、
前記第1のサブビットストリームは、前記複数のレイヤからの第1のレイヤセットを含み、
前記第1のレイヤセットの中のビデオデータは、1つまたは複数のビデオコーディングレイヤネットワーク抽象化レイヤユニットを含み、
前記第1のレイヤセットのうちの1つまたは複数のレイヤのビデオデータは、前記第1のサブビットストリームの中に存在するか、又は、前記符号化ビデオビットストリームを生成するのに使用されるエンコーダ以外の外部ソースから提供され、
前記サブビットストリーム抽出プロセスが実行された後に、前記第1のサブビットストリームは完全なレイヤセットを有する、ステップと、
前記サブビットストリーム抽出プロセスに基づいて、前記符号化ビデオビットストリームの第2のサブビットストリームを生成するステップであって、
前記第2のサブビットストリームは、前記複数のレイヤからの第2のレイヤセットを含み、
前記第2のサブビットストリームを生成することは、前記符号化ビデオビットストリームから少なくとも1つのレイヤを除去することを含み、
前記サブビットストリーム抽出プロセスが実行された後に、前記第2のサブビットストリームは不完全なレイヤセットを有する、ステップと、
前記符号化ビデオビットストリームのパラメータを定義するパラメータセットを生成するステップであって、
前記パラメータセットは、前記第1のサブビットストリームを記述する情報と、前記第2のサブビットストリームを記述する情報とを含み、
前記第1のサブビットストリームを記述する前記情報は、前記第1のレイヤセットの記述を含み、
前記第2のサブビットストリームを記述する前記情報は、前記第2のレイヤセットの記述を含む、ステップと、
前記第2のサブビットストリームが不完全なレイヤセットを有すると決定するステップであって、
前記不完全なレイヤセットは、前記サブビットストリーム抽出プロセスによって前記符号化ビデオビットストリームから除去されている前記少なくとも1つのレイヤに基づいている、ステップと、
前記サブビットストリーム抽出プロセスが実行された後に、前記第1のサブビットストリームが完全なレイヤセットを有することに基づいて、前記第1のサブビットストリームに対してビットストリーム適合検査を実行するステップであって、
前記ビットストリーム適合検査は、前記第1のレイヤセットのうちの少なくとも1つのレイヤがビデオデータを含むとき、かつ、前記第1のサブビットストリームの中の前記ビデオデータの時間識別子の最大値が、前記第1のサブビットストリームの対応する時間識別子の値以上であるかどうかに基づいて、前記第1のサブビットストリームに対して実行され、
前記ビットストリーム適合検査は、前記第1のサブビットストリームが復号されるのに必要なコーディング要件に前記第1のサブビットストリームが適合することを確実にするためにテストを実行することを含み、
前記ビットストリーム適合検査は、前記第2のサブビットストリームが不完全なレイヤセットを有することに基づいて、前記第2のサブビットストリームに対して実行されず、
前記ビットストリーム適合検査は、完全なレイヤセットを含むと前記パラメータセットによって記述されるサブビットストリームだけに対して実行される、ステップと
を備える、方法。
【請求項２】
前記第1のサブビットストリームの前記第1のレイヤセットのレイヤのすべてがビデオデータを有するとき、前記第1のサブビットストリームに対して前記ビットストリーム適合検査を実行するステップをさらに備える、請求項1に記載の方法。
【請求項３】
前記パラメータセットがビデオパラメータセットを含む、請求項1に記載の方法。
【請求項４】
前記パラメータセットがシーケンスパラメータセットを含む、請求項1に記載の方法。
【請求項５】
ビデオデータを記憶するように構成されたメモリと、
プロセッサと
を備える装置であって、前記プロセッサが、
複数のレイヤを備える符号化ビデオビットストリームを前記ビデオデータから生成することであって、レイヤは複数のピクチャを含む、生成することと、    サブビットストリーム抽出プロセスに基づいて、前記符号化ビデオビットストリームの第1のサブビットストリームを生成することであって、
前記第1のサブビットストリームは、前記複数のレイヤからの第1のレイヤセットを含み、
前記第1のレイヤセットの中のビデオデータは、1つまたは複数のビデオコーディングレイヤネットワーク抽象化レイヤユニットを含み、
前記第1のレイヤセットのうちの1つまたは複数のレイヤのビデオデータは、前記第1のサブビットストリームの中に存在するか、又は、前記符号化ビデオビットストリームを生成するのに使用されるエンコーダ以外の外部ソースから提供され、
前記サブビットストリーム抽出プロセスが実行された後に、前記第1のサブビットストリームは完全なレイヤセットを有する、生成することと、
前記サブビットストリーム抽出プロセスに基づいて、前記符号化ビデオビットストリームの第2のサブビットストリームを生成することであって、
前記第2のサブビットストリームは、前記複数のレイヤからの第2のレイヤセットを含み、
前記第2のサブビットストリームを生成することは、前記符号化ビデオビットストリームから少なくとも1つのレイヤを除去することを含み、
前記サブビットストリーム抽出プロセスが実行された後に、前記第2のサブビットストリームは不完全なレイヤセットを有する、生成することと、
前記符号化ビデオビットストリームのパラメータを定義するパラメータセットを生成することであって、
前記パラメータセットは、前記第1のサブビットストリームを記述する情報と、前記第2のサブビットストリームを記述する情報とを含み、
前記第1のサブビットストリームを記述する前記情報は、前記第1のレイヤセットの記述を含み、
前記第2のサブビットストリームを記述する前記情報は、前記第2のレイヤセットの記述を含む、生成することと、
前記第2のサブビットストリームが不完全なレイヤセットを有すると決定することであって、
前記不完全なレイヤセットは、前記サブビットストリーム抽出プロセスによって前記符号化ビデオビットストリームから除去されている前記少なくとも1つのレイヤに基づいている、決定することと、
前記サブビットストリーム抽出プロセスが実行された後に、前記第1のサブビットストリームが完全なレイヤセットを有することに基づいて、前記第1のサブビットストリームに対してビットストリーム適合検査を実行することであって、
前記ビットストリーム適合検査は、前記第1のレイヤセットのうちの少なくとも1つのレイヤがビデオデータを含むとき、かつ、前記第1のサブビットストリームの中の前記ビデオデータの時間識別子の最大値が、前記第1のサブビットストリームの対応する時間識別子の値以上であるかどうかに基づいて、前記第1のサブビットストリームに対して実行され、
前記ビットストリーム適合検査は、前記第1のサブビットストリームが復号されるのに必要なコーディング要件に前記第1のサブビットストリームが適合することを確実にするためにテストを実行することを含み、
前記ビットストリーム適合検査は、前記第2のサブビットストリームが不完全なレイヤセットを有することに基づいて、前記第2のサブビットストリームに対して実行されず、
前記ビットストリーム適合検査は、完全なレイヤセットを含むと前記パラメータセットによって記述されるサブビットストリームだけに対して実行される、実行することと
を行うように構成される、装置。
【請求項６】
前記プロセッサが、前記第1のサブビットストリームの前記第1のレイヤセットのレイヤのすべてがビデオデータを有するとき、前記第1のサブビットストリームに対して前記ビットストリーム適合検査を実行するように構成される、請求項5に記載の装置。
【請求項７】
前記パラメータセットがビデオパラメータセットを含む、請求項5に記載の装置。
【請求項８】
前記パラメータセットがシーケンスパラメータセットを含む、請求項5に記載の装置。
【請求項９】
プロセッサによって実行されたとき、方法を前記プロセッサに実行させる命令を記憶したコンピュータ可読記録媒体であって、前記方法が、
複数のレイヤを備える符号化ビデオビットストリームを生成するステップであって、レイヤは複数のピクチャを含む、ステップと、
サブビットストリーム抽出プロセスに基づいて、前記符号化ビデオビットストリームの第1のサブビットストリームを生成するステップであって、
前記第1のサブビットストリームは、前記複数のレイヤからの第1のレイヤセットを含み、
前記第1のレイヤセットの中のビデオデータは、1つまたは複数のビデオコーディングレイヤネットワーク抽象化レイヤユニットを含み、
前記第1のレイヤセットのうちの1つまたは複数のレイヤのビデオデータは、前記第1のサブビットストリームの中に存在するか、又は、前記符号化ビデオビットストリームを生成するのに使用されるエンコーダ以外の外部ソースから提供され、
前記サブビットストリーム抽出プロセスが実行された後に、前記第1のサブビットストリームは完全なレイヤセットを有する、ステップと、
前記サブビットストリーム抽出プロセスに基づいて、前記符号化ビデオビットストリームの第2のサブビットストリームを生成するステップであって、
前記第2のサブビットストリームは、前記複数のレイヤからの第2のレイヤセットを含み、
前記第2のサブビットストリームを生成することは、前記符号化ビデオビットストリームから少なくとも1つのレイヤを除去することを含み、
前記サブビットストリーム抽出プロセスが実行された後に、前記第2のサブビットストリームは不完全なレイヤセットを有する、ステップと、
前記符号化ビデオビットストリームのパラメータを定義するパラメータセットを生成するステップであって、
前記パラメータセットは、前記第1のサブビットストリームを記述する情報と、前記第2のサブビットストリームを記述する情報とを含み、
前記第1のサブビットストリームを記述する前記情報は、前記第1のレイヤセットの記述を含み、
前記第2のサブビットストリームを記述する前記情報は、前記第2のレイヤセットの記述を含む、ステップと、
前記第2のサブビットストリームが不完全なレイヤセットを有すると決定するステップであって、
前記不完全なレイヤセットは、前記サブビットストリーム抽出プロセスによって前記符号化ビデオビットストリームから除去されている前記少なくとも1つのレイヤに基づいている、ステップと、
前記サブビットストリーム抽出プロセスが実行された後に、前記第1のサブビットストリームが完全なレイヤセットを有することに基づいて、前記第1のサブビットストリームに対してビットストリーム適合検査を実行するステップであって、
前記ビットストリーム適合検査は、前記第1のレイヤセットのうちの少なくとも1つのレイヤがビデオデータを含むとき、かつ、前記第1のサブビットストリームの中の前記ビデオデータの時間識別子の最大値が、前記第1のサブビットストリームの対応する時間識別子の値以上であるかどうかに基づいて、前記第1のサブビットストリームに対して実行され、
前記ビットストリーム適合検査は、前記第1のサブビットストリームが復号されるのに必要なコーディング要件に前記第1のサブビットストリームが適合することを確実にするためにテストを実行することを含み、
前記ビットストリーム適合検査は、前記第2のサブビットストリームが不完全なレイヤセットを有することに基づいて、前記第2のサブビットストリームに対して実行されず、
前記ビットストリーム適合検査は、完全なレイヤセットを含むと前記パラメータセットによって記述されるサブビットストリームだけに対して実行される、ステップと
を含む、コンピュータ可読記録媒体。
【請求項１０】
前記方法が、前記第1のサブビットストリームの前記第1のレイヤセットのレイヤのすべてがビデオデータを有するとき、前記第1のサブビットストリームに対して前記ビットストリーム適合検査を実行するステップ
をさらに備える、請求項9に記載のコンピュータ可読記録媒体。
【請求項１１】
前記パラメータセットがビデオパラメータセットを含む、請求項9に記載のコンピュータ可読記録媒体。
【請求項１２】
前記パラメータセットがシーケンスパラメータセットを含む、請求項9に記載のコンピュータ可読記録媒体。
【請求項１３】
複数のレイヤを備える符号化ビデオビットストリームを生成するための手段であって、レイヤは複数のピクチャを含む、手段と、
サブビットストリーム抽出プロセスに基づいて、前記符号化ビデオビットストリームの第1のサブビットストリームを生成するための手段であって、
前記第1のサブビットストリームは、前記複数のレイヤからの第1のレイヤセットを含み、
前記第1のレイヤセットの中のビデオデータは、1つまたは複数のビデオコーディングレイヤネットワーク抽象化レイヤユニットを含み、
前記第1のレイヤセットのうちの1つまたは複数のレイヤのビデオデータは、前記第1のサブビットストリームの中に存在するか、又は、前記符号化ビデオビットストリームを生成するのに使用されるエンコーダ以外の外部ソースから提供され、
前記サブビットストリーム抽出プロセスが実行された後に、前記第1のサブビットストリームは完全なレイヤセットを有する、手段と、
前記サブビットストリーム抽出プロセスに基づいて、前記符号化ビデオビットストリームの第2のサブビットストリームを生成するための手段であって、
前記第2のサブビットストリームは、前記複数のレイヤからの第2のレイヤセットを含み、
前記第2のサブビットストリームを生成することは、前記符号化ビデオビットストリームから少なくとも1つのレイヤを除去することを含み、
前記サブビットストリーム抽出プロセスが実行された後に、前記第2のサブビットストリームは不完全なレイヤセットを有する、手段と、
前記符号化ビデオビットストリームのパラメータを定義するパラメータセットを生成するための手段であって、
前記パラメータセットは、前記第1のサブビットストリームを記述する情報と、前記第2のサブビットストリームを記述する情報とを含み、
前記第1のサブビットストリームを記述する前記情報は、前記第1のレイヤセットの記述を含み、
前記第2のサブビットストリームを記述する前記情報は、前記第2のレイヤセットの記述を含む、手段と、
前記第2のサブビットストリームが不完全なレイヤセットを有すると決定するための手段であって、
前記不完全なレイヤセットは、前記サブビットストリーム抽出プロセスによって前記符号化ビデオビットストリームから除去されている前記少なくとも1つのレイヤに基づいている、手段と、
前記サブビットストリーム抽出プロセスが実行された後に、前記第1のサブビットストリームが完全なレイヤセットを有することに基づいて、前記第1のサブビットストリームに対してビットストリーム適合検査を実行するための手段であって、
前記ビットストリーム適合検査は、前記第1のレイヤセットのうちの少なくとも1つのレイヤがビデオデータを含むとき、かつ、前記第1のサブビットストリームの中の前記ビデオデータの時間識別子の最大値が、前記第1のサブビットストリームの対応する時間識別子の値以上であるかどうかに基づいて、前記第1のサブビットストリームに対して実行され、
前記ビットストリーム適合検査は、前記第1のサブビットストリームが復号されるのに必要なコーディング要件に前記第1のサブビットストリームが適合することを確実にするためにテストを実行することを含み、
前記ビットストリーム適合検査は、前記第2のサブビットストリームが不完全なレイヤセットを有することに基づいて、前記第2のサブビットストリームに対して実行されず、
前記ビットストリーム適合検査は、完全なレイヤセットを含むと前記パラメータセットによって記述されるサブビットストリームだけに対して実行される、手段と
を備える、装置。
【請求項１４】
前記第1のサブビットストリームの前記第1のレイヤセットのレイヤのすべてがビデオデータを有するとき、前記第1のサブビットストリームに対して前記ビットストリーム適合検査が実行される、請求項13に記載の装置。
【請求項１５】
前記パラメータセットがビデオパラメータセットを含む、請求項13に記載の装置。
【請求項１６】
前記パラメータセットがシーケンスパラメータセットを含む、請求項13に記載の装置。